(57)【要約】【課題】  セキュリティ低下させずに、開錠に手間が掛かるケースをなくすことが可能な電気錠システムを提供する。【解決手段】  電気錠システムは、オートドアロック設定にしていない一般住宅の室外扉に内蔵された電子錠（３）を、非接触ＩＣカード（１）及びそのリーダ／ライタ（２）を使用して電気的に施開錠制御する。電気錠システムは、鍵所有者のリーダ／ライタ（２）への接近を検出する検出手段（検出部５）と、鍵所有者の接近時に電気錠（３）の施開錠状態を鍵所有者に通知する鍵設定通知部（６）とを有している。【選択図】      図１
2012237117.tif 000002
【特許請求の範囲】
【請求項１】
オートドアロック設定にしていない一般住宅の室外扉に内蔵された電子錠を、非接触ＩＣ（Ｉｎｔｅｇｒａｔｅｄ  Ｃｉｒｃｕｉｔ）カード及びそのリーダ／ライタを使用して電気的に施開錠制御する電気錠システムであって、
鍵所有者の前記リーダ／ライタへの接近を検出する検出手段と、
前記鍵所有者の接近時に前記電気錠の施開錠状態を前記鍵所有者に通知する鍵設定通知手段と
を有することを特徴とする電気錠システム。
【請求項２】
前記鍵設定通知手段は、ＬＥＤ（Ｌｉｇｈｔ  Ｅｍｉｔｔｉｎｇ  Ｄｉｏｄｅ）を使用した回路であることを特徴とする請求項１記載の電気錠システム。
【請求項３】
前記鍵設定通知手段は、音声出力回路とスピーカとを使用した回路であることを特徴とする請求項１記載の電気錠システム。
【請求項４】
前記検出手段は、人感センサ付きの玄関ポーチ灯であることを特徴とする請求項１記載の電気錠システム。
【請求項５】
前記非接触ＩＣカードは、近傍型ＩＣチップと近接型のＩＣチップとを内蔵し、
前記検出手段は、前記近傍型ＩＣチップ内の鍵データを前記リーダ／ライタとの間で送受信することで前記鍵所有者の接近を検出することを特徴とする請求項１記載の電気錠システム。
【請求項６】
オートドアロック設定にしていない一般住宅の室外扉に内蔵された電子錠を、非接触ＩＣ（Ｉｎｔｅｇｒａｔｅｄ  Ｃｉｒｃｕｉｔ）カード及びそのリーダ／ライタを使用して電気的に施開錠制御する電気錠システムに用いる前記電気錠の施開錠状態通知方法であって、
鍵所有者の前記リーダ／ライタへの接近を検出した場合に、前記電気錠の施開錠状態を前記鍵所有者に通知することを特徴とする施開錠状態通知方法。
【請求項７】
前記電気錠の施開錠状態を、ＬＥＤ（Ｌｉｇｈｔ  Ｅｍｉｔｔｉｎｇ  Ｄｉｏｄｅ）を使用して通知することを特徴とする請求項６記載の施開錠状態通知方法。
【請求項８】
前記電気錠の施開錠状態を、音声出力回路とスピーカとを使用して通知することを特徴とする請求項６記載の施開錠状態通知方法。
【請求項９】
前記鍵所有者の前記リーダ／ライタへの接近を、人感センサ付きの玄関ポーチ灯により検出することを特徴とする請求項６記載の施開錠状態通知方法。
【請求項１０】
前記非接触ＩＣカードを、近傍型ＩＣチップと近接型のＩＣチップとを内蔵して構成し、
前記鍵所有者の前記リーダ／ライタへの接近を、前記近傍型ＩＣチップ内の鍵データを前記リーダ／ライタとの間で送受信することで検出することを特徴とする請求項６記載の施開錠状態通知方法。
【発明の詳細な説明】
【技術分野】
【０００１】
本発明は電気錠システム及びそれに用いる電気錠の施開錠状態通知方法に関し、特に非接触ＩＣ（Ｉｎｔｅｇｒａｔｅｄ  Ｃｉｒｃｕｉｔ：集積回路）カード及びそのリーダ／ライタを使用し、一般住宅の玄関等の扉に内蔵された錠前を電気的に施開錠制御する電気錠システムに関する。
【背景技術】
【０００２】
本発明に関連する電気錠システムにおいては、非接触ＩＣカード内の鍵データ［キーＩＤ（ＩＤｅｎｔｉｆｉｅｒ）］をリーダ／ライタで読み取り、登録済みのデータと比較して電気錠の開閉を行い、電気錠が開閉された時に電気錠の施錠、開錠を表示する構成となっている（例えば、特許文献１参照）。
【０００３】
図６は、本発明に関連する電気錠システムの構成例を示すブロック図である。図６において、本発明に関連する電気錠システムは、非接触ＩＣカード１と、リーダ／ライタ２と、電気錠３と、表示回路４とから構成されている。
【０００４】
また、非接触ＩＣカード１は、メモリ１１と、ＩＣカード制御回路１２と、ＩＣカードＲＦ（Ｒａｄｉｏ  Ｆｒｅｑｕｅｎｃｙ）回路１３とから構成されている。さらに、リーダ／ライタ２は、リーダ／ライタＲＦ回路２１と、リーダ／ライタ制御回路２２とから構成されている。
【０００５】
リーダ／ライタＲＦ回路２１のアンテナコイルに電流を流すと、交流磁界が発生する。この磁界の中に非接触型ＩＣカード１をかざすと、ＩＣカードＲＦ回路１３のアンテナコイルに交流電圧が誘起される。この交流電圧は、非接触ＩＣカード１内で直流電圧に変換され、ＩＣカード制御回路１２が動作する。
【０００６】
電力の供給と同時に、ＩＣカードＲＦ回路１３とリーダ／ライタＲＦ回路２１とにより、非接触型ＩＣカード１とリーダ／ライタ２との間でデータのやり取りが実施され、メモリ１１内の鍵データが登録済みのデータと一致するか否かをリーダ／ライタ制御回路２２にて判断し、一致していれば電気錠３の施錠、開錠を実施し、電気錠３の開閉状態を表示回路４に表示する。
【０００７】
上記の本発明に関連する電気錠システムに関連する技術としては、下記の特許文献２〜６に記載の技術がある。
【先行技術文献】
【特許文献】
【０００８】
【特許文献１】特開平０８−０６０９１１号公報
【特許文献２】特開２００５−０２３７３４号公報
【特許文献３】特開２００９−００２１１４号公報
【特許文献４】特開平０８−０４２２１０号公報
【特許文献５】特開２００６−０２８８８４号公報
【特許文献６】特開２００８−０１４０８２号公報
【発明の概要】
【発明が解決しようとする課題】
【０００９】
上述した本発明に関連する電気錠システムでは、施開錠が不明な状態で非接触ＩＣカードを操作するため、オートドアロック設定にしていない一般住宅の玄関扉での電気錠システムにおいて、鍵所有者の家族在宅中等の理由で開錠状態の時に鍵所有者が帰宅した場合、開錠するつもりで非接触ＩＣカードをリーダ／ライタにかざすと施錠されてしまい、かえって開錠に手間が掛かるという課題がある。
【００１０】
また、本発明に関連する電気錠システムでは、表示回路にて、常時、電気錠の施開錠の状態を表示することにより、開錠状態が外から一目でわかるため、上記の課題を解決するために、電気錠設定状態を常時表示するようにすると、誤って開錠状態で外出した場合に、自ら開錠状態であることを公示することになり、逆にセキュリティが低下するという課題がある。
【００１１】
そこで、本発明の目的は上記の問題点を解消し、セキュリティ低下させずに、開錠に手間が掛かるケースをなくすことができる電気錠システム及びそれに用いる電気錠の施開錠状態通知方法を提供することにある。
【課題を解決するための手段】
【００１２】
本発明による電気錠システムは、オートドアロック設定にしていない一般住宅の室外扉に内蔵された電子錠を、非接触ＩＣ（Ｉｎｔｅｇｒａｔｅｄ  Ｃｉｒｃｕｉｔ）カード及びそのリーダ／ライタを使用して電気的に施開錠制御する電気錠システムであって、鍵所有者の前記リーダ／ライタへの接近を検出する検出手段と、前記鍵所有者の接近時に前記電気錠の施開錠状態を前記鍵所有者に通知する鍵設定通知手段とを備えている。
【００１３】
本発明による電気錠の施開錠状態通知方法は、オートドアロック設定にしていない一般住宅の室外扉に内蔵された電子錠を、非接触ＩＣ（Ｉｎｔｅｇｒａｔｅｄ  Ｃｉｒｃｕｉｔ）カード及びそのリーダ／ライタを使用して電気的に施開錠制御する電気錠システムに用いる前記電気錠の施開錠状態通知方法であって、
鍵所有者の前記リーダ／ライタへの接近を検出した場合に、前記電気錠の施開錠状態を前記鍵所有者に通知している。
【発明の効果】
【００１４】
本発明は、上記のような構成及び動作とすることで、セキュリティ低下させずに、開錠に手間が掛かるケースをなくすことができるという効果が得られる。
【図面の簡単な説明】
【００１５】
【図１】本発明の第１の実施の形態による電気錠システムの構成例を示すブロック図である。
【図２】本発明の第２の実施の形態による電気錠システムの構成例を示すブロック図である。
【図３】本発明の第３の実施の形態による電気錠システムの構成例を示すブロック図である。
【図４】本発明の第４の実施の形態による電気錠システムの構成例を示すブロック図である。
【図５】本発明の第５の実施の形態による電気錠システムの構成例を示すブロック図である。
【図６】本発明に関連する電気錠システムの構成例を示すブロック図である。
【発明を実施するための形態】
【００１６】
次に、本発明の実施の形態について図面を参照して説明する。まず、本発明による電気錠システムの概要について説明する。本発明による電気錠システムは、非接触ＩＣ（Ｉｎｔｅｇｒａｔｅｄ  Ｃｉｒｃｕｉｔ：集積回路）カード及びそのリーダ／ライタを使用し、一般住宅の玄関等の扉（室外扉）に内蔵された錠前を電気的に施開錠制御するシステムに関する。
【００１７】
本発明による電気錠システムは、上記の本発明に関連する電気錠システムの構成（図６参照）に加えて、鍵所有者のリーダ／ライタへの接近を検出する検出手段と、鍵所有者接近時に電気錠の施開錠状態を通知する鍵設定通知手段とを有している。
【００１８】
これによって、本発明による電気錠システムでは、鍵所有者のリーダ／ライタへの接近を検出し、その時点での電気錠の施開錠状態を通知することで、鍵所有者が非接触ＩＣカードをリーダ／ライタにかざす前に、電気錠の施開錠状態が通知され、鍵所有者の帰宅時に電気錠の施開錠の操作を間違えないで済む。また、本発明による電気錠システムでは、鍵所有者がリーダ／ライタ付近から離れると、電気錠の施開錠状態が通知されないので、セキュリティの低下を招くことはない。
【００１９】
図１は本発明の第１の実施の形態による電気錠システムの構成例を示すブロック図である。図１において、本発明の第１の実施の形態による電気錠システムは、鍵所有者のリーダ／ライタ２への接近を検出する検出部５と、鍵所有者がリーダ／ライタ２に接近している場合に電気錠３の開錠／施錠状態を通知する錠設定通知部６とを設けた以外は、図６に示す本発明に関連する電気錠システムと同様の構成となっており、同一構成要素には同一符号を付してある。また、同一構成要素の動作は、図６に示す本発明に関連する電気錠システムと同様である。
【００２０】
すなわち、本発明の第１の実施の形態による電気錠システムは、非接触ＩＣカード１と、リーダ／ライタ２と、電気錠３と、表示回路４と、検出部５と、錠設定通知部６とから構成されている。
【００２１】
非接触ＩＣカード１は、メモリ１１と、ＩＣカード制御回路１２と、ＩＣカードＲＦ（Ｒａｄｉｏ  Ｆｒｅｑｕｅｎｃｙ）回路１３とから構成され、リーダ／ライタ２は、リーダ／ライタＲＦ回路２１と、リーダ／ライタ制御回路２２とから構成されている。
【００２２】
リーダ／ライタＲＦ回路２１のアンテナコイルに電流を流すと、交流磁界が発生する。この磁界の中に非接触型ＩＣカード１をかざすと、ＩＣカードＲＦ回路１３のアンテナコイルに交流電圧が誘起される。この交流電圧は、非接触ＩＣカード１内で直流電圧に変換され、ＩＣカード制御回路１２が動作する。
【００２３】
電力の供給と同時に、ＩＣカードＲＦ回路１３とリーダ／ライタＲＦ回路２１とにより、非接触型ＩＣカード１とリーダ／ライタ２との間でデータのやり取りが実施され、メモリ１１内の鍵データが登録済みのデータと一致するか否かをリーダ／ライタ制御回路２２にて判断し、一致していれば電気錠３の施錠、開錠を実施し、電気錠３の開閉状態を表示回路４に表示する。
【００２４】
鍵所有者がリーダ／ライタ２に接近すると、鍵所有者の接近を検出部５が検出し、鍵所有者接近の検出信号をリーダ／ライタ制御回路２２に送出する。
【００２５】
リーダ／ライタ制御回路２２は、検出部５から鍵所有者接近の検出信号を受け取ると、現在の電気錠３の設定が“開錠”と“施錠”とのどちらの設定になっているかの情報を錠設定通知部６に通知する。
【００２６】
錠設定通知部６は、リーダ／ライタ制御回路２２からの通知に従い、鍵所有者に電気錠３の設定状態を通知する。
【００２７】
これにより、本実施の形態では、鍵所有者がＩＣカード１をリーダ／ライタ２にかざす前に、現在の電気錠３の“開錠”と“施錠”との設定状態を知ることができるので、ＩＣカード１をリーダ／ライタ２にかざす必要の有無を判断することができるという従来の技術にはなかったメリットを実現することができる。
【００２８】
鍵所有者がリーダ／ライタ２から離れると、鍵所有者が離れたことを検出部５が検出し、鍵所有者不在の検出信号をリーダ／ライタ制御回路７に送出する。
【００２９】
検出部５から鍵所有者不在の検出信号を受け取った場合、リーダ／ライタ制御回路２２は、電気錠３の設定状態を錠設定通知部６へ通知しない。
【００３０】
これにより、本実施の形態では、鍵所有者がリーダ／ライタ２付近に居ない場合、現在の電気錠３の“開錠”と“施錠”との設定状態が通知されないため、上記の本発明のメリットを実現し、且つ、従来の技術と同等の鍵所有者不在時のセキュリティを保つことができる。
【００３１】
尚、上記の説明において、非接触型ＩＣカード１をリーダ／ライタ２にかざして電気錠３の施開錠を実施する動作は、上述した本発明に関連する電子錠システムと同一のため、その動作の詳細な説明を省略する。
【００３２】
図２は本発明の第２の実施の形態による電気錠システムの構成例を示すブロック図である。図２において、本発明の第２の実施の形態による電気錠システムは、錠設定通知部６と表示回路４とをＬＥＤ（Ｌｉｇｈｔ  Ｅｍｉｔｔｉｎｇ  Ｄｉｏｄｅ）にて実現した以外は、図１に示す本発明の第１の実施の形態による電気錠システムと同様の構成となっており、同一構成要素には同一符号を付してある。また、同一構成要素の動作は、本発明の第１の実施の形態による電気錠システムと同様である。
【００３３】
本発明の第２の実施の形態による電気錠システムでは、鍵所有者がリーダ／ライタ２に接近すると、鍵所有者の接近を検出部５が検出し、鍵所有者接近の検出信号をリーダ／ライタ制御回路２２に送出する。
【００３４】
リーダ／ライタ制御回路２２は、検出部５から鍵所有者接近の検出信号を受け取ると、電気錠３の設定状態に従い、施錠ＬＥＤ３１、開錠ＬＥＤ３２、警戒ＬＥＤ３３のいずれかのＬＥＤを点灯する。
【００３５】
これにより、本実施の形態では、鍵所有者が非接触ＩＣカード１をリーダ／ライタ２にかざす前に現在の電気錠３の設定状態を認識することができる。
【００３６】
また、本実施の形態では、鍵所有者がリーダライタ２から離れると、鍵所有者が離れたことを検出部５が検出し、鍵所有者不在の検出信号をリーダ／ライタ制御回路２２に送出する。
【００３７】
リーダ／ライタ制御回路２２は、検出部５から鍵所有者不在の検出信号を受け取ると、電気錠３の設定状態によらず、施錠ＬＥＤ３１、開錠ＬＥＤ３２、警戒ＬＥＤ３３の全てのＬＥＤを消灯するので、鍵所有者不在時のセキュリティを保つことができる。
【００３８】
図３は本発明の第３の実施の形態による電気錠システムの構成例を示すブロック図である。図３において、本発明の第３の実施の形態による電気錠システムは、錠設定通知部６を音声出力回路７とスピーカ８とにて実現した以外は、図１に示す本発明の第１の実施の形態による電気錠システムと同様の構成となっており、同一構成要素には同一符号を付してある。また、同一構成要素の動作は、本発明の第１の実施の形態による電気錠システムと同様である。
【００３９】
本発明の第３の実施の形態による電気錠システムでは、鍵所有者がリーダ／ライタ２に接近すると、鍵所有者の接近を検出部５が検出し、鍵所有者接近の検出信号をリーダ／ライタ制御回路２２に送出する。
【００４０】
リーダ／ライタ制御回路２２は、検出部５から鍵所有者接近の検出信号を受け取ると、電気錠３の設定状態に応じて音声出力回路７に音声信号を送出し、スピーカ８から電気錠３の設定状態に応じた音声が出力される。
【００４１】
これにより、本実施の形態では、鍵所有者が非接触ＩＣカード１をリーダ／ライタ２にかざす前に現在の電気錠３の設定状態を認識することができる。
【００４２】
また、リーダ／ライタ制御回路２２は、鍵所有者がリーダライタ２に接近し、鍵所有者の接近を検出部５が検出した時以外は音声出力回路７に音声信号を送出しないため、鍵所有者不在時のセキュリティを保つことができる。
【００４３】
図４は本発明の第４の実施の形態による電気錠システムの構成例を示すブロック図である。図４において、本発明の第４の実施の形態による電気錠システムは、検出部５を人感センサ９１付きの玄関ポーチ灯９にて実現した以外は、図１に示す本発明の第１の実施の形態による電気錠システムと同様の構成となっており、同一構成要素には同一符号を付してある。また、同一構成要素の動作は、本発明の第１の実施の形態による電気錠システムと同様である。
【００４４】
本発明の第４の実施の形態による電気錠システムでは、人や物がリーダ／ライタ２に接近して玄関ポーチ灯９内部の人感センサ９１の検知エリア内で動くと、人感センサ９１が赤外線等を利用して温度変化を検出し、リーダ／ライタ制御回路２２に検出信号を送出する。
【００４５】
リーダ／ライタ制御回路２２は、人感センサ９１から検出信号を受け取ると、電気錠３の設定状態を錠設定通知部６に通知する。錠設定通知部６は、リーダ／ライタ制御回路２２からの通知に従い、鍵所有者に電気錠３の設定状態を通知する。
【００４６】
これにより、本実施の形態では、鍵所有者が非接触ＩＣカード１をリーダ／ライタ２にかざす前に現在の電気錠３の設定状態を認識することができる。鍵所有者がリーダ／ライタ２から離れて、人感センサ９１の検知エリア外に移動すると、リーダ／ライタ制御回路２２には検出信号が送出されず、リーダ／ライタ制御回路２２は電気錠３の設定状態を錠設定通知部６へ通知しないため、鍵所有者不在時のセキュリティを保つことができる。
【００４７】
図５は本発明の第５の実施の形態による電気錠システムの構成例を示すブロック図である。図５において、本発明の第５の実施の形態による電気錠システムは、検出部５の動作を、近接型ＩＣチップ１４と近傍型ＩＣチップ１５とで構成された非接触ＩＣカード１ａとリーダ／ライタ２との無線通信にて実現した以外は、図１に示す本発明の第１の実施の形態による電気錠システムと同様の構成となっており、同一構成要素には同一符号を付してある。また、同一構成要素の動作は、本発明の第１の実施の形態による電気錠システムと同様である。
【００４８】
本発明の第４の実施の形態による電気錠システムでは、非接触ＩＣカード１ａの近接型ＩＣチップ１４及び近傍型ＩＣチップ１５が、それぞれ図示していないが、メモリと、制御回路と、ＲＦ回路とから構成されている。ＩＣチップ内蔵のＩＣカード自体は、公知の技術であるため、それらの内部の詳細な構成の説明を省略する。
【００４９】
本発明の第４の実施の形態による電気錠システムでは、鍵所有者がリーダ／ライタ２の約７０ｃｍ以内に接近すると、非接触ＩＣカード１ａ内の近傍型ＩＣチップ１５が動作し、近傍型ＩＣチップ１５内の鍵データ（キーＩＤ）がリーダ／ライタ２に送信される。
【００５０】
リーダ／ライタ制御回路２２は、受信したデータが登録されたデータと一致するかを判断し、一致した場合に電気錠３の設定状態を錠設定通知部６に通知する。錠設定通知部６は、リーダ／ライタ制御回路２２からの通知に従い、鍵所有者に電気錠３の設定状態を通知する。
【００５１】
これにより、本実施の形態では、鍵所有者が非接触ＩＣカード１ａをリーダ／ライタ２にかざす前に現在の電気錠３の設定状態を認識することができる。
【００５２】
鍵所有者が非接触ＩＣカード１ａをリーダ／ライタ２の約１０ｃｍ以内にかざすと、近接型ＩＣチップ１４が動作し、近接型ＩＣチップ１４内の鍵データ（キーＩＤ）がリーダ／ライタ２に送信される。リーダ／ライタ制御回路２２は、受信したデータが登録されたデータと一致するかを判断し、一致した場合に電気錠３を施錠または開錠に設定する。
【００５３】
リーダ／ライタ制御回路２２は、鍵所有者がリーダ／ライタ２から離れると、電気錠３の設定状態を錠設定通知部６へ通知しないため、鍵所有者不在時のセキュリティを保つことができる。
【００５４】
このように、本発明では、鍵所有者が非接触ＩＣカード１，１ａをリーダ／ライタ２にかざす前に、現在の電気錠３の施開錠状態を通知しているため、オートドアロック設定にしていない一般住宅の玄関扉での電気錠システムにおいて、鍵所有者の帰宅時に電気錠の施開錠を間違えないで済むという効果を奏する。
【００５５】
また、本発明では、鍵所有者のリーダ／ライタ２への接近を検出しているため、鍵所有者がリーダ／ライタ２に接近した時のみに現在の電気錠３の施開錠状態を通知しているので、セキュリティの低下を招くことがないという効果を奏する。
【産業上の利用可能性】
【００５６】
本発明は、非接触ＩＣカード及びそのリーダ／ライタを使用し、一般住宅の玄関等の扉に内蔵された錠前を電気的に施解錠制御する電気錠システムに適用可能である。
【符号の説明】
【００５７】
１，１ａ  非接触ＩＣカード
２  リーダ／ライタ
３  電気錠
４  表示回路
５  検出部
６  錠設定通知部
７  音声出力回路
８  スピーカ
９  玄関ポーチ灯
１１  メモリ
１２  ＩＣカード制御回路
１３  ＩＣカードＲＦ回路
１４  近接型ＩＣチップ
１５  近傍型ＩＣチップ
２１  リーダ／ライタＲＦ回路
２２  リーダ／ライタ制御回路
３１  施錠ＬＥＤ
３２  開錠ＬＥＤ
３３  警戒ＬＥＤ
９１  人感センサ
【図１】
2012237117.tif 000003
【図２】
2012237117.tif 000004
【図３】
2012237117.tif 000005
【図４】
2012237117.tif 000006
【図５】
2012237117.tif 000007
【図６】
2012237117.tif 000008